(57)【要約】【課題】体温の冷却及び保冷が長時間持続可能で、冷却・保冷効果の高い、持ち運びが便利な保冷具を提供することを目的とする。【解決手段】熱伝導性の高い材質からなる保冷具本体に、保冷材のような保冷効果を有する部材を設けたことにより、冷却及び保冷が長時間可能となった。保冷具本体を中空構造にしたり、脚部や通気穴を設けることにより通気を良くし、保冷効果を更に高めることも可能である。保冷具本体を軽量な材質にすることにより携帯用としてや持ち運びにも便利である。【選択図】図１
2013017795.tif 000002
【特許請求の範囲】
【請求項１】
熱伝導性の高い材質からなる保冷具本体を中空構造になるよう形成し、前記中空構造の内部に保冷効果を有する部材を設けたことを特徴とする保冷具。
【請求項２】
前記保冷具本体に於いて、通気穴を設けたことを特徴とする請求項１記載の保冷具。
【請求項３】
前記保冷具本体に於いて、少なくとも一方向を開口状態になるよう形成したことを特徴とする請求項１又は２記載の保冷具。
【請求項４】
前記保冷具本体に於いて、脚部を設けたことを特徴とする請求項１、２又は３記載の保冷具。
【請求項５】
前記保冷具本体の材質がアルミニウムからなることを特徴とする請求項１、２、３又は４記載の保冷具。
【請求項６】
前記保冷具本体の材質が熱伝導性の高い樹脂からなることを特徴とする請求項１、２、３又は４記載の保冷具。
【請求項７】
前記保冷具本体に、取付け部を設けたことを特徴とする請求項１、２、３、４、５又は６記載の保冷具。
【請求項８】
前記保冷具本体に、前記保冷具本体を入れる又は、覆う為のカバー部材を設けたことを特徴とする請求項１、２、３、４、５、６又は７記載の保冷具。
【発明の詳細な説明】
【技術分野】
【０００１】本発明は、体温を冷却及び保冷する為、熱伝導性の高い材質を中空構造となるよう形成した保冷具本体に、保冷効果を有する部材を設けたことにより、冷却・保冷効果を長時間持続可能とした保冷具に関する。
【背景技術】
【０００２】現在、体温を冷却・保冷するものとして、冷感を有するジェルマットやアルミニウム製のボード、水で濡らして使用する保冷具等が市販されているが、保冷の効果はあまり続かず、使用後短時間は冷たさを感じられるが、その後は体温を吸収して、熱を取り込み、逆に暑苦しささえ感じられるという問題があった。又、アルミニウム製のボードに関しては、周囲の温度に左右される為、日光下では熱くなってしまう。その為、前記保冷具を使用時には、工夫が必要であると思われる。【０００３】外出時に持ち歩く為の保冷具として、首に巻くものやベスト等の衣類に保冷材を装着するもの等が市販されているが、やはり冷却・保冷時間が短いという問題点があった。
【先行技術文献】
【特許文献】
【０００４】
【特許文献１】  特許公開２００５−１４４０３６号広報
【発明の概要】
【発明が解決しようとする課題】
【０００５】夏場、節電対策により、エアコン等の使用を控えている場所や、エアコン等の無い場所では、熱中症が大きな社会問題となっているが、オフィスや工場・避難所のように多くの人々が、同じ空間を所有する場合、自己の都合で空調の温度設定を低くすることは出来ないことも多く、個々の暑さ対策が必要となる。しかしながら従来の保冷具では、冷却・保冷効果を感じられる時間が短いという問題点がある。長時間冷却及び保冷可能な保冷具が必要とされる。【０００６】又、体内に熱がこもっている場合に、足裏を冷やすと効果があるが、現在、足裏を冷却及び保冷する為の効果的な保冷具は市販されていない。一般的に足裏は体の他の部位に比べ、皮膚が厚いことや、靴下やパンティーストッキング、又足袋等を着用している場合も多く、保冷具自体、かなり冷えていないと、あまり冷却効果が感じられにくい為、冷却・保冷効果の高い保冷具が必要とされる。又、毛のある程度長いペットの体温冷却・保冷の為に使用する場合も同様である。そこで本発明では、長時間に渡り冷却及び保冷が可能で、冷却・保冷効果の高い、持ち運びが便利な保冷具を提供することを目的とする。
【課題を解決する為の手段】
【０００７】以上の課題を解決する為に、請求項１の発明は、熱伝導性の高い材質からなる保冷具本体を中空構造になるよう形成し、前記中空構造の内部に保冷効果を有する部材を設けたことを特徴とする保冷具である。又、請求項２の発明は、前記保冷具本体に於いて、通気穴を設けたことを特徴とする請求項１記載の保冷具である。又、請求項３の発明は、  前記保冷具本体に於いて、少なくとも一方向を開口状態になるよう形成したことを特徴とする請求項１又は２記載の保冷具である。又、請求項４の発明は、前記保冷具本体に於いて、脚部を設けたことを特徴とする請求項１、２又は３記載の保冷具である。又、請求項５の発明は、前記保冷具本体の材質がアルミニウムからなることを特徴とする請求項１、２、３又は４記載の保冷具である。又、請求項６の発明は、前記保冷具本体の材質が熱伝導性の高い樹脂からなることを特徴とする請求項１、２、３又は４記載の保冷具である。又、請求項７の発明は、前記保冷具本体に、取付け部を設けたことを特徴とする請求項１、２、３、４、５又は６記載の保冷具である。又、請求項８の発明は、前記保冷具本体に、前記保冷具本体を入れる又は、覆う為のカバー部材を設けたことを特徴とする請求項１、２、３、４、５、６又は７記載の保冷具である。
【発明の効果】
【０００８】本発明の保冷具は、熱伝導性の高い材質からなる保冷具本体に、保冷効果を有する部材を設けることにより、長時間に渡り冷却及び保冷が持続可能である。熱伝導性の高い材質を使用することで、保冷効果を有する部材の冷たさが保冷具全体に伝導し、保冷面積も広がり、冷却・保冷効果が更に高まる。冷却・保冷効果が高い為、足裏の使用にも適している。又、人体のみならず、ペット等にも効果的である。熱伝導性の高い材質を軽量にすることにより、携帯用や持ち運びにも便利で、様々な場所で使用可能である。
【図面の簡単な説明】
【０００９】
【図１】第一の実施形態に係る保冷具を示す斜視図である。
【図２】第一の実施形態に係る保冷具を示す断面図である。
【図３】第一の実施形態に係る保冷具を示す一変形例の斜視図である。
【図４】第一の実施形態に係る保冷具を示す一変形例の斜視図である。
【図５】第一の実施形態に係る保冷具を示す一変形例の側面図である。
【図６】第二の実施形態に係る保冷具を示す斜視図である。
【図７】本発明の実施形態に係る保冷具に脚部を設けた状態を示す斜視図である。
【図８】本発明の実施形態に係る保冷具に取付け部を設けた状態を示す斜視図である。
【図９】本発明の実施形態に係る保冷具に取付け部を設けた状態を示す斜視図である。
【図１０】本発明の実施形態に係る保冷具にカバー部材を設けた状態を示す斜視図である。
【発明を実施する為の形態】
【００１０】以下に本発明の実施形態について説明する。
【実施例１】
【００１１】本発明の一実施形態を図１に示す。図１は、保冷具本体１の斜視図である。板状の熱伝導性の高い材質からなる部材２を中空構造となるよう形成し、縁部同士を溶着や接着等で一体化させ環状とする。その際、前記中空構造の内部に、保冷効果を有する部材を設ける。本実施形態では、保冷効果を有する部材として、保冷材３を設ける。図２は、保冷材３を設けた状態の保冷具本体１の断面図である。【００１２】又、熱伝導性の高い材質からなる部材２には、通気の為に通気穴４等を設ける。尚、熱伝導性の高い材質からなる部材２を本実施形態ではアルミニウムを使用するが、他の金属や樹脂ゴム・石・シリコン等でも、熱伝導性の高い材質であればよい。【００１３】第一の実施形態の形状の変形例を、図３・図４・図５に示す。尚、図５は、保冷具本体１の側面図である。
【実施例２】
【００１４】本発明の第二の実施形態を図６に示す。板状の熱伝導性の高い材質からなる部材２を環状に形成し、中空構造となるようにする。前記中空構造の内部に保冷効果を有する部材を設け、前記保冷効果を有する部材が保冷具本体１の外部へ出ないよう両端の開口部５を狭く形成する。尚、図示はしないが、熱伝導性の高い材質からなる部材２を袋状にし、開口部５を一方向のみに設け開口状態にしてもよい。この場合も同様、開口部５は、前記保冷効果を有する部材が保冷具本体１の外部へ出ないよう形成する。【００１５】本発明の実施に於いては、図７で示すように、保冷具本体１の底部に、床面との間に隙間を設ける為に、脚部６を設けてもよい。  又、熱伝導性の高い材質からなる部材２に、通気の為に通気穴４等を設けてもよい。尚、熱伝導性の高い材質からなる部材２に模様や色、エンボス加工・溝等を施してもよい。【００１６】図８・９で示すように、保冷具本体１に、ストラップの様に紐状の部材等を通す為の取付け部７を設けてもよい。こうすることで、首や手首等から提げたり、荷物に取付けたりと色々便利である。【００１７】本発明の使用方法は、保冷具本体１が直に肌に当たらないよう、所望の箇所に当て冷却・保冷する。足を冷却・保冷する場合は、靴下やパンティストッキングや足袋等を着用したりすることが望ましい。又、図１０で示すように、直に肌に当たらないよう、保冷具本体１にカバー・巾着袋等の袋等のカバー部材８を設けてもよい。
【産業上の利用可能性】
【００１８】屋内・屋外を問わず、体温を長時間に渡り冷却及び保冷が持続可能である。オフィスや工場・病院・福祉施設・避難所・体育館・学校・家庭・ペットショップ・動物病院等の屋内施設内、スポーツ観戦時や屋外イベント時・アウトドア等の屋外でも役立つ保冷具である。保冷具本体を軽量にすることで携帯用や持ち運びにも便利となり、様々な場所で使用可能である。
【符号の説明】
【００１９】１  保冷具本体
２  熱伝導性の高い材質からなる部材
３  保冷材
４  通気穴
５  開口部
６  脚部
７  取付け部
８  カバー部材
【図１】
2013017795.tif 000003
【図２】
2013017795.tif 000004
【図３】
2013017795.tif 000005
【図４】
2013017795.tif 000006
【図５】
2013017795.tif 000007
【図６】
2013017795.tif 000008
【図７】
2013017795.tif 000009
【図８】
2013017795.tif 000010
【図９】
2013017795.tif 000011
【図１０】
2013017795.tif 000012